(57)【特許請求の範囲】
【請求項１】
２液性パーマネント剤における毛髪のＳＳ結合切断用である第１剤で毛髪を処理した後、毛髪の水洗と乾燥とを行い、その後、毛髪を接触させた毛髪接触部を超音波振動させて毛髪に空気酸化促進作用のための超音波振動を付与することで毛髪のＳＳ再結合によるセットを行うとともに、この時、毛髪表面温度の測定温度に応じて超音波発生装置を制御して、毛髪への超音波付与に際しての毛髪表面温度を１２５℃未満に抑え、更には２液性パーマネント剤における第２剤による毛髪処理は行わないことを特徴とする毛髪セット方法。
【請求項２】
２液性パーマネント剤における毛髪のＳＳ結合切断用である第１液として、システイン系のものを用いることを特徴とする請求項１記載の毛髪セット方法。
【請求項３】
毛髪表面温度の測定を毛髪の複数箇所において行って、測定温度として複数箇所における最高温度を用いることを特徴とする請求項１記載の毛髪セット方法。
【発明の詳細な説明】
【０００１】
【発明の属する技術分野】
本発明は超音波振動とパーマネント剤とを利用した毛髪セット方法に関するものである。
【０００２】
【従来の技術】
２液性パーマネント剤による毛髪セット方法は、第１剤による毛髪内のＳＳ結合（シスチン結合）の切断、第１剤の洗い流し、第２剤によるＳＳ再結合、第２剤の洗い流しという手順で行われるとともに、より確実なパーマネントセットのために加熱処理がなされるが、ｐＨ値の高い第１剤は毛髪に与えるダメージが大きく、第２剤による再結合が不充分であると、ＳＳ結合が切断されたままの状態となるために、蛋白変性による損傷も大きくなる。そして、何よりも上記加熱が毛髪に与える損傷が大きい。
【０００３】
このために、上記加熱に代えて、パーマネント剤に超音波振動を併用する毛髪セット方法も米国特許第４０２３５７９号明細書、米国特許第４６６９７７号明細書、特開平３−１８２２０３号明細書などに示されている。
【０００４】
【発明が解決しようとする課題】
従来の超音波振動を利用した毛髪セット方法における超音波振動の付与は、毛髪への第１剤の塗布時や第２剤の塗布時に行われており、パーマネント剤によるＳＳ結合の切断と再結合とを促進するものとして用いられている。
【０００５】
従って、超音波振動はパーマネント剤による毛髪処理時間の短縮という点で機能すると同時に、パーマネント剤が毛髪に与えるダメージも増加させるものとして作用するものとなっている。熱を毛髪に与える場合に比してダメージは小さいとはいえ、ダメージがより少ない状態で確実な毛髪セットを行えるものが望まれている。
【０００６】
本発明はこのような点に鑑みなされたものであって、その目的とするところは毛髪にやさしい毛髪セット方法を提供するにあり、また短時間で手軽に且つ確実にセットを行うことができる毛髪セット方法を提供するにある。
【０００７】
【課題を解決するための手段】
本発明者らは、ＳＳ結合が切断された毛髪に対して超音波振動を付与すれば、この超音波振動によってＳＳ再結合がなされることを見出した。
【０００８】
本発明はこの点に基づくものであり、請求項１の発明は、２液性パーマネント剤における毛髪のＳＳ結合切断用である第１剤で毛髪を処理した後、毛髪の水洗と乾燥とを行い、その後、毛髪を接触させた毛髪接触部を超音波振動させて毛髪に空気酸化促進作用のための超音波振動を付与することで毛髪のＳＳ再結合によるセットを行うとともに、この時、毛髪表面温度の測定温度に応じて超音波発生装置を制御して、毛髪への超音波付与に際しての毛髪表面温度を１２５℃未満に抑え、更には２液性パーマネント剤における第２剤による毛髪処理は行わないことに特徴を有している。
【０００９】
第１剤で毛髪を処理した後、毛髪の水洗と乾燥とを行い、その後、毛髪に超音波振動を付与するために、剤過剰や析出物に起因する問題点を避けることができる。
【００１０】
また、２液性パーマネント剤における第２剤による毛髪処理を行わなくても毛髪のセット能力が十分に得られるとともに毛髪にダメージを与えることもないために、全体処理時間の短縮を図ることができる。
【００１１】
２液性パーマネント剤における毛髪のＳＳ結合切断用である第１液としては、チオグリコール系のものよりもシステイン系のものを用いることが毛髪に与えるダメージをより少なくする点で好ましい。
【００１２】
ここにおいて、毛髪の表面温度が１２５℃を越えると、毛髪に熱による損傷が生じやすくなるために、毛髪髪表面温度の測定温度に応じて超音波発生装置を制御して、毛髪への超音波付与に際しての毛髪表面温度を１２５℃未満に抑えるのであるが、この時、毛髪表面温度の測定を毛髪の複数箇所において行って、測定温度として複数箇所における最高温度を用いることが好ましい。
【００１３】
【発明の実施の形態】
以下本発明を実施の形態に基づいて詳述すると、図１は本発明において用いる超音波式のヘアセット器４の一例を示しており、図中３は振動子駆動回路、３０は超音波振動子、３１は超音波ホーンであり、毛髪２が巻きつけられる毛髪接触部１が上記超音波ホーン３１に接続されており、振動子駆動回路３によって駆動されて超音波領域での振動を行う振動子３０は、その振動を超音波ホーン３１を介して毛髪接触部１に伝達し、毛髪接触部１に接触する毛髪２に超音波振動を付与する。
【００１４】
そして上記ヘアセット器による毛髪への超音波振動の付与は、２液性パーマネント剤の第１剤による毛髪処理、つまり毛髪のＳＳ結合の切断の後に行う。ＳＳ結合が切断された毛髪に対して超音波振動を付与すれば、毛髪はセットされた状態を維持する。上記ヘアセット器４の毛髪接触部１にＳＳ結合を切断した毛髪を巻き付けて超音波振動を付与すれば、毛髪はカール状態を維持するものであり、パーマネント処理がなされたものとなる。
【００１５】
ＳＳ結合を切断した毛髪に対して超音波振動を付与すればカール状態を維持するということは、毛髪においてＳＳ再結合がなされたことを意味し、この再結合は酸化によってなされることから、超音波振動が空気酸化促進作用を発揮したものと思われる。
【００１６】
上記第１剤としては、チオグリコール系のものとシステイン系のものとが一般に提供されており、どちらを用いてもよいが、後述するようにシステイン系のものを用いる方が好ましい結果を得ることができる。
【００１７】
第１剤を毛髪に塗布した後、超音波振動を付与するにあたっては、まず毛髪を乾燥させ、その後に超音波振動を付与することが好ましい。超音波振動の付与時間を短くすることができる上に付与量も少なくすることができる。
【００１８】
さらに、第１剤を毛髪に塗布して毛髪に浸透させた後、第１剤を洗い流し、毛髪を乾燥させた後、超音波振動を付与することが好ましい。第１剤の剤過剰や析出物との摩擦による毛髪ダメージを防ぐことができるからである。
【００１９】
超音波振動の付与の後、更に２液性パーマネント剤の第２剤による毛髪処理を行ってもよいが、後述するように、超音波振動の付与で毛髪のＳＳ再結合を完了させてしまうことができると思われることから、実際上、第２剤による毛髪処理は処理時間を長くしてしまう上に、かえって毛髪にダメージを与えてしまう虞があり、全体処理時間の短縮を図ることができる点も含めて、第２剤による毛髪処理は行わないほうが良い。なお、第２剤による処理も行う場合は、超音波振動の付与の後に、第２剤の塗布、水洗とする手順で行うのが好ましい。
【００２０】
次に上記超音波振動の付与によるＳＳ再結合を図った場合と、従来の２液性パーマネント剤にアイロンによる熱処理を併用した場合とを統計的処理の上で比較した結果について説明する。
【００２１】
まず、図２は２液性パーマネント剤としてシステイン系パーマネント剤（パーマ剤）とチオグリコール系パーマネント剤（パーマ剤）とを夫々第１剤のみを使用した時、第１剤と第２剤を共に用いた時、さらに超音波振動の付与として、超音波ホーン３１への入力を３１Ｗとした時と３６Ｗとした時の毛髪の切断荷重を調べたものであり、超音波振動は３０秒間付与した。サンプルとして毛髪は各９本を使用し、このうちの毛髪同個所の太さを４点計測して４点とも７５〜８５μｍの毛髪を各３本選択して、引っ張り強度試験機にかけた。引張強度試験は長さ１０ｍｍ以上の毛髪について、１本ずつ測定するものとした。また、試験に供する毛髪は、水素結合や塩結合の影響を避けてＳＳ結合の強度を正しく評価することができるように、純水に２分以上漬けたウェット状態のものとした。図中「機器剤なし」とあるのは、処理前の毛髪のことであり、「機器なし」とあるのは超音波振動の付与を行わなかったものを意味する。
【００２２】
なお、２液性パーマネント剤の第１剤としては、アルカリパーマ用として市販されているチオグリーコール酸６．５％  ｐＨ９のものと、中性パーマ用として市販されているチオグリコール酸６．５％  ｐＨ８のもの（以上の２つはチオグリコール系）と、アルカリシスパーマ用として市販されているシステイン４．１％、チオグリコール酸１．０％  ｐＨ９のもの（システイン系）のものとを用いた。
【００２３】
また、図３はアイロンによる熱処理を行った場合との毛髪切断荷重を比較したものであり、アイロンについては１８０℃に毛髪を加熱するものを用いた。使用した２液性パーマネント剤や超音波振動付与は上述のものと同じである。パーマネント剤のみで熱も超音波も与えていない場合より、熱を加えると切断荷重が小さくなっており、毛髪が熱でダメージを受けていることがわかる。また、パーマネント剤のみで熱も超音波も与えていない場合より、超音波振動の付与を行ったほうが切断荷重が大きくなっており、超音波振動の付与が毛髪にダメージを与えにくいことがわかる。
【００２４】
さらに、第１剤のみに超音波振動付与を行った場合と、通常のパーマネント剤で処理した場合とを比較すれば、システイン系及びチオグリコール系のいずれのパーマネント剤を用いた場合でも、第２剤が不要であることがわかる。加えるに、システイン系のものは、第２剤の処理をさらに行っても毛髪に与えるダメージを未処理の毛髪との比較で見た時、ダメージが大きく増えることはなかったが、チオグリコール系のものを用いる場合は、第２剤による処理を行わないほうが良いことがわかる。表１にこの結果をまとめた。表中の「シス系」は「システイン系」を、「チオグリ系」は「チオグリコール系」の意味である。
【００２５】
【表１】
0004204021.tif 000002
【００２６】
上記のテストに際して、毛髪の表面温度をサーモビュアーを用いて熱や超音波振動による刺激終了時の毛髪表面温度５点を計測した。また、毛髪のセット効果の評価のために、セットは直径１０ｍｍのものに２０ｃｍ毛束を巻き付け長さが１３〜１５ｃｍとなるように３．０巻きしてカール付けを行うものとし、評価は前述のウェット状態において、３．０巻き分の長さ（バネ長）を測定することで行った。つまり、バネ長が短い方がセット効果が高い。
【００２７】
毛髪の表面温度と１００％荷重切断の値との散布図を図４に、毛髪の表面温度とバネ長との散布図を図５に示す。両図において、△はアイロンによる１４０℃熱処理、▲はアイロンによる１８０℃熱処理、○は３１Ｗの超音波振動、●は３６Ｗの超音波振動、□はホーン形状の異なるものにおける２０Ｗの超音波振動、■はホーン形状の異なるものにおける２５Ｗの超音波振動を与えたものを示している。尚、熱及び超音波振動は比較のために共に３０秒間付与するものとした。
【００２８】
毛髪表面温度が１２５℃を越えると、パーマネント剤を使用しない時よりも毛髪のダメージが増加するために、毛髪表面温度は１２５℃未満、好ましくは１２０℃未満としておくことがよいのがわかる。また、毛髪のセット効果は超音波振動の付与時と熱付与時とでほぼ同じであることがわかる。
【００２９】
図６は毛髪温度（の最高温度）が１２５℃（１２０℃）を越えないようにするために、毛髪接触部１に巻き付けた毛髪の複数箇所の温度を測定する温度センサー７を設けて、これら温度センサー７で測定した毛髪表面温度のうちの最高温度に応じて、振動子駆動回路３の動作を制御するようにしたものを示している。
【００３０】
なお、本発明において用いることができる超音波式のヘアセット器４は図示例の毛髪にカール付けを行うためのものに限るものではなく、たとえば超音波振動子１に直接毛髪接触部２を貼り付けて、毛髪にストレートセットを行うものであってもよい。
【００３１】
また２液性パーマネント剤の第１剤を用いるとしたが、要は毛髪のＳＳ結合を切断するものであればよく、しかも、第２剤を使わない場合は、厳密にはパーマネント剤と言い難いものになる。従って、パーマネント剤に限定するものではない。
【００３２】
【発明の効果】
以上のように本発明においては、ＳＳ結合を切断した毛髪に超音波振動を付与して、超音波振動によってＳＳ再結合を行わせて毛髪のセットを行うものであり、このために２液性パーマネント剤が毛髪に与えるダメージを超音波振動が増加させるということがなく、毛髪にやさしい毛髪セットを行えるものであり、しかも２液性パーマネント剤の第２剤の使用を不用とすることから、処理時間も短くすることができるものであって、短時間で手軽に且つ確実にセットを行うことができる。
【００３３】
しかも、第１剤で毛髪を処理した後、毛髪の水洗と乾燥とを行い、その後、毛髪に超音波振動を付与するために、剤過剰や析出物に起因する摩擦でのダメージといった問題点を避けることができる。また、毛髪表面温度の測定温度に応じて超音波発生装置を制御して、毛髪への超音波付与に際しての毛髪表面温度を１２５℃未満に抑えれば、毛髪の熱による損傷を抑えることができる。
【００３４】
２液性パーマネント剤における毛髪のＳＳ結合切断用である第１液として、チオグリコール系のものよりもシステイン系のものを用いれば、毛髪に与えるダメージをより少なくすることができる。
【００３５】
また、毛髪表面温度の測定を毛髪の複数箇所において行って、測定温度として複数箇所における最高温度を用いることが毛髪の熱による損傷を抑える点において好ましい。
【図面の簡単な説明】
【図１】本発明の実施の形態の一例において超音波振動付与に用いるヘアセット器の概略図である。
【図２】同上の説明図である。
【図３】同上の説明図である。
【図４】同上の説明図である。
【図５】同上の説明図である。
【図６】ヘアセット器の他例の概略図である。
【符号の説明】
１  毛髪接触部
２  毛髪
３  振動子駆動回路
４  ヘアセット器
３０  超音波振動子
【図１】
0004204021.tif 000003
【図２】
0004204021.tif 000004
【図３】
0004204021.tif 000005
【図４】
0004204021.tif 000006
【図５】
0004204021.tif 000007
【図６】
0004204021.tif 000008